(57)【特許請求の範囲】
【請求項１】
密閉容器と、
前記密閉容器に収容された電動機と、
前記密閉容器の外面に設けられ、前記電動機に電気的に接続された複数の第１端子を有する第１ガラス端子部と、
前記第１ガラス端子部と並列して前記密閉容器の外面に設けられ、前記電動機に電気的に接続された複数の第２端子を有する第２ガラス端子部と、
前記第１ガラス端子部及び前記第２ガラス端子部を覆うように前記密閉容器に取り付けられた端子カバーと、
を備え、
前記端子カバーは、
前記第１ガラス端子部を保護する第１端子保護部と、
前記第１ガラス端子部の前記複数の第１端子にそれぞれ接続された複数の第１電源線を案内する第１電源線案内部と、
前記第１電源線案内部に案内された前記複数の第１電源線が前記端子カバーの外部に引き出される第１電源線引出し部と、
前記第２ガラス端子部を保護する第２端子保護部と、
前記第２ガラス端子部の前記複数の第２端子にそれぞれ接続された複数の第２電源線を案内する第２電源線案内部と、
前記第２電源線案内部に案内された前記複数の第２電源線が前記端子カバーの外部に引き出される第２電源線引出し部と、を有しており、
前記第１電源線案内部は、前記第２端子保護部から離れる案内方向に前記複数の第１電源線を案内するものであり、
前記第２電源線案内部は、前記第１端子保護部を迂回して前記案内方向と同方向に向かうように前記複数の第２電源線を案内するものである圧縮機。
【請求項２】
前記第２電源線案内部と前記第１端子保護部とは互いに隣接して配置されており、
前記第２電源線案内部と前記第１端子保護部との間は、前記第２電源線案内部の側面部と前記第１端子保護部の側面部とを兼ねる仕切壁によって仕切られている請求項１に記載の圧縮機。
【請求項３】
前記第１ガラス端子部は、前記密閉容器の外面に対して凸状に形成された第１台座を有しており、
前記第２ガラス端子部は、前記密閉容器の外面に対して凸状に形成された第２台座を有しており、
前記第１端子保護部の側面部は、前記第１台座の外周の一部に沿った形状を有しており、
前記第２端子保護部の側面部は、前記第２台座の外周の一部に沿った形状を有している請求項１又は請求項２に記載の圧縮機。
【請求項４】
前記第１電源線引出し部及び前記第２電源線引出し部は、前記端子カバーの上面部と垂直な方向に見て、段違いに形成されている請求項１〜請求項３のいずれか一項に記載の圧縮機。
【請求項５】
前記第１端子保護部の中心と前記第２電源線引出し部の中心との間の距離は、前記第１端子保護部の中心と前記第２端子保護部の中心との間の距離よりも短い請求項１〜請求項４のいずれか一項に記載の圧縮機。
【請求項６】
請求項１〜請求項５のいずれか一項に記載の圧縮機を備える空気調和機の室外機。
【発明の詳細な説明】
【技術分野】
【０００１】
本発明は、第１ガラス端子部及び第２ガラス端子部を有する圧縮機、及びその圧縮機を備えた空気調和機の室外機に関するものである。
【背景技術】
【０００２】
特許文献１には、第１の密封端子及び第２の密封端子を備えた密閉型圧縮機が記載されている。第１の密封端子及び第２の密封端子は、密閉ケースの上蓋部に設けられた端子箱内に並設されている。第１の密封端子及び第２の密封端子は、それぞれ３つのピンを備えている。第１の密封端子の３つのピンにそれぞれ接続された３本の電源接続線、及び第２の密封端子の３つのピンにそれぞれ接続された３本の電源接続線は、端子箱の開口部から引き出されている。
【先行技術文献】
【特許文献】
【０００３】
【特許文献１】特開２０１２−８２７７６号公報
【発明の概要】
【発明が解決しようとする課題】
【０００４】
圧縮機を室外機に搭載する際、圧縮機側から延出した電源接続線は、中継コネクタを介して、インバータ側から延出した電源接続線と接続される。特許文献１に記載の密閉型圧縮機では、合計６本の電源接続線が１つの開口部から引き出されている。このため、電源接続線のそれぞれが第１の密封端子又は第２の密封端子のいずれに接続されたものであるかが分かりにくいため、インバータ側から延出した電源接続線と接続するときに誤接続が生じやすいという課題があった。【０００５】
本発明は、上述のような課題を解決するためになされたものであり、電源線の誤接続を防止できる圧縮機及び空気調和機の室外機を提供することを目的とする。
【課題を解決するための手段】
【０００６】
本発明に係る圧縮機は、密閉容器と、前記密閉容器に収容された電動機と、前記密閉容器の外面に設けられ、前記電動機に電気的に接続された複数の第１端子を有する第１ガラス端子部と、前記第１ガラス端子部と並列して前記密閉容器の外面に設けられ、前記電動機に電気的に接続された複数の第２端子を有する第２ガラス端子部と、前記第１ガラス端子部及び前記第２ガラス端子部を覆うように前記密閉容器に取り付けられた端子カバーと、を備え、前記端子カバーは、前記第１ガラス端子部を保護する第１端子保護部と、前記第１ガラス端子部の前記複数の第１端子にそれぞれ接続された複数の第１電源線を案内する第１電源線案内部と、前記第１電源線案内部に案内された前記複数の第１電源線が前記端子カバーの外部に引き出される第１電源線引出し部と、前記第２ガラス端子部を保護する第２端子保護部と、前記第２ガラス端子部の前記複数の第２端子にそれぞれ接続された複数の第２電源線を案内する第２電源線案内部と、前記第２電源線案内部に案内された前記複数の第２電源線が前記端子カバーの外部に引き出される第２電源線引出し部と、を有しており、前記第１電源線案内部は、前記第２端子保護部から離れる案内方向に前記複数の第１電源線を案内するものであり、前記第２電源線案内部は、前記第１端子保護部を迂回して前記案内方向と同方向に向かうように前記複数の第２電源線を案内するものである。
本発明に係る空気調和機の室外機は、上記本発明に係る圧縮機を備えるものである。
【発明の効果】
【０００７】
本発明によれば、端子カバーには、第１ガラス端子部に接続された第１電源線が引き出される第１電源線引出し部と、第２ガラス端子部に接続された第２電源線が引き出される第２電源線引出し部と、が設けられている。このため、第１ガラス端子部に接続された第１電源線と、第２ガラス端子部に接続された第２電源線と、を容易に識別することができる。したがって、電力の供給元に対して第１電源線及び第２電源線を誤接続してしまうのを防止することができる。
【図面の簡単な説明】
【０００８】
【図１】本発明の実施の形態１に係る空気調和機の室外機１０の構成を示す分解斜視図である。
【図２】本発明の実施の形態１に係る圧縮機３０を上方から見た構成を示す斜視図である。
【図３】本発明の実施の形態１に係る圧縮機３０の構成を示す上面図である。
【図４】本発明の実施の形態１に係る圧縮機３０の上面３２ａに端子カバー６０が取り付けられた構成を示す上面図である。
【図５】本発明の実施の形態１に係る圧縮機３０が備える電動機３１と、電気品２０の一部であるインバータ７０及び結線切替装置７１と、の関係を示す結線図である。
【図６】本発明の実施の形態１に係る空気調和機の室外機１０の機械室１５に搭載された圧縮機３０を上方から見た構成を示す斜視図である。
【図７】本発明の実施の形態１に係る圧縮機３０が備える端子カバー６０を上方から見た構成を示す斜視図である。
【図８】本発明の実施の形態１に係る圧縮機３０が備える端子カバー６０を下方から見た構成を示す斜視図である。
【図９】本発明の実施の形態１に係る圧縮機３０が備える端子カバー６０の構成を示す側面図である。
【図１０】本発明の実施の形態１に係る圧縮機３０が備える端子カバー６０の構成を示す下面図である。
【図１１】本発明の実施の形態１に係る圧縮機３０が備える端子カバー６０の構成を示す下面図に対し、第１電源線案内部８２により案内される第１電源線４３と第２電源線案内部９２により案内される第２電源線５３とを追記した図である。
【図１２】本発明の実施の形態１に係る圧縮機３０が備える端子カバー６０の構成の変形例を示す斜視図である。
【発明を実施するための形態】
【０００９】
実施の形態１．
本発明の実施の形態１に係る圧縮機及び空気調和機の室外機について説明する。図１は、本実施の形態に係る空気調和機の室外機１０の構成を示す分解斜視図である。図１に示すように、室外機１０の外郭は、前面パネル１１、側面パネル１２及び天面パネル１３によって構成されている。室外機１０の内部には、送風機室１４と機械室１５とが形成されている。送風機室１４と機械室１５とは仕切板１６によって仕切られている。
【００１０】
送風機室１４には、冷凍サイクル装置の熱源側熱交換器となる熱交換器１７と、熱交換器１７に室外空気を供給する送風機１８と、が設けられている。機械室１５の下部には、それぞれ冷凍サイクル装置の一部を構成する圧縮機３０及び冷媒配管１９が設けられている。機械室１５の上部には電気品２０が設けられている。電気品２０には、後述するインバータ７０及び結線切替装置７１と、それらが実装されたインバータ基板とが含まれる。
【００１１】
図２は、本実施の形態に係る圧縮機３０を上方から見た構成を示す斜視図である。図３は、本実施の形態に係る圧縮機３０の構成を示す上面図である。図２及び図３に示すように、圧縮機３０は、円筒形状の密閉容器３２を有している。密閉容器３２には、電動機３１（図５参照）と、電動機３１により駆動される圧縮機構と、が収容されている。
【００１２】
密閉容器３２の上面３２ａの中心部には、圧縮機構で圧縮された流体を吐出する吐出管３４が設けられている。また、上面３２ａには、第１ガラス端子部４０及び第２ガラス端子部５０が設けられている。第１ガラス端子部４０及び第２ガラス端子部５０は、吐出管３４を挟んで互いに並列して設けられている。
【００１３】
第１ガラス端子部４０は、第１台座４１と、第１台座４１を貫通して設けられた３つの第１端子４２と、を有している。第１台座４１は、円形の平面形状を有しており、上面３２ａに対して凸状に形成されている。３つの第１端子４２は、密閉容器３２内に収容された電動機３１と電気的に接続されている。３つの第１端子４２には、電動機３１に電力を供給するための３本の第１電源線４３（図５参照）のそれぞれ一端が接続される。３本の第１電源線４３のそれぞれ他端側は、圧縮機３０に対する電力の供給元となるインバータ基板に接続される。
【００１４】
同様に、第２ガラス端子部５０は、第２台座５１と、第２台座５１を貫通して設けられた３つの第２端子５２と、を有している。第２台座５１は、円形の平面形状を有しており、上面３２ａに対して凸状に形成されている。第２台座５１は、第１台座４１から離れて形成されている。３つの第２端子５２は、密閉容器３２内に収容された電動機３１と電気的に接続されている。３つの第２端子５２には、圧縮機３０の電動機３１に電力を供給するための３本の第２電源線５３（図５参照）のそれぞれ一端が接続される。３本の第２電源線５３のそれぞれ他端側は、圧縮機３０に対する電力の供給元となるインバータ基板に接続される。
【００１５】
室外機１０を動作させるための電力は、通常、電気品２０に設けられた端子台に供給される。端子台に供給される電力の一部は、インバータ基板、第１ガラス端子部４０及び第２ガラス端子部５０を介して、電動機３１に供給される。インバータの故障などにより基板を交換する際には、電気品２０が室外機１０から取り外される場合がある。このため、電気品２０の取外しが容易となるように、インバータ基板と第１ガラス端子部４０及び第２ガラス端子部５０とをそれぞれ接続する電源線の途中には、容易に脱着可能な中継コネクタが設けられるのが一般的である。
【００１６】
図４は、本実施の形態に係る圧縮機３０の上面３２ａに端子カバー６０が取り付けられた構成を示す上面図である。図４に示すように、端子カバー６０が密閉容器３２の上面３２ａに取り付けられると、第１ガラス端子部４０及び第２ガラス端子部５０は端子カバー６０によって一体的に覆われる。これにより、第１ガラス端子部４０及び第２ガラス端子部５０は、埃及び水から保護される。密閉容器３２の上面３２ａには、端子カバー６０を固定するためのボルト３３が形成されている。端子カバー６０には、ボルト３３を貫通させる固定穴６１が形成されている。端子カバー６０の固定穴６１に貫通させたボルト３３に対してナット６２を取り付けることにより、端子カバー６０が密閉容器３２の上面３２ａに固定される。端子カバー６０の構成の詳細については後述する。
【００１７】
図５は、本実施の形態に係る圧縮機３０が備える電動機３１と、電気品２０の一部であるインバータ７０及び結線切替装置７１と、の関係を示す結線図である。本実施の形態では、電動機３１として、３相の永久磁石型電動機を例示している。図５に示すように、電動機３１は、Ｕ相、Ｖ相及びＷ相の各内部巻線を有している。Ｕ相、Ｖ相及びＷ相の各内部巻線の一端は、密閉容器３２の内部で、第１ガラス端子部４０の３つの第１端子４２にそれぞれ接続されている。３つの第１端子４２は、３本の第１電源線４３をそれぞれ介して結線切替装置７１に接続されている。Ｕ相、Ｖ相及びＷ相の各内部巻線の他端は、密閉容器３２の内部で、第２ガラス端子部５０の３つの第２端子５２にそれぞれ接続されている。第２端子５２は、３本の第２電源線５３をそれぞれ介してインバータ７０に接続されている。結線切替装置７１は、３つのリレーを有している。インバータ７０からの指令により結線切替装置７１の３つのリレーが切り替えられることによって、Ｕ相、Ｖ相及びＷ相の内部巻線の結線が適宜切り替えられる。インバータ７０及び結線切替装置７１は、いずれもインバータ基板に実装されている。
【００１８】
図６は、本実施の形態に係る空気調和機の室外機１０の機械室１５に搭載された圧縮機３０を上方から見た構成を示す斜視図である。図６に示すように、圧縮機３０の第１ガラス端子部４０及び第２ガラス端子部５０は、一体的に成形された端子カバー６０によって覆われている。第１ガラス端子部４０に接続された３本の第１電源線４３は、１つの第１電源線引出し部８３から端子カバー６０の外部に引き出されている。第２ガラス端子部５０に接続された３本の第２電源線５３は、第１電源線引出し部８３とは別に形成された１つの第２電源線引出し部９３から端子カバー６０の外部に引き出されている。圧縮機３０の上方から見たとき、３本の第１電源線４３が端子カバー６０から引き出される方向と、３本の第２電源線５３が端子カバー６０から引き出される方向は、概ね同方向である。端子カバー６０から引き出された３本の第１電源線４３は、上方に向かって延伸し、第１電源線用の中継コネクタ（図示せず）を介して、圧縮機３０よりも上方に配置されたインバータ基板に接続されている。端子カバー６０から引き出された３本の第２電源線５３は、第１電源線４３と同様に上方に向かって延伸し、第２電源線用の中継コネクタ（図示せず）を介してインバータ基板に接続されている。
【００１９】
図７は、本実施の形態に係る圧縮機３０が備える端子カバー６０を上方から見た構成を示す斜視図である。図８は、本実施の形態に係る圧縮機３０が備える端子カバー６０を下方から見た構成を示す斜視図である。図９は、本実施の形態に係る圧縮機３０が備える端子カバー６０の構成を示す側面図である。図１０は、本実施の形態に係る圧縮機３０が備える端子カバー６０の構成を示す下面図である。
【００２０】
図７〜図１０に示すように、端子カバー６０は、第１ガラス端子部４０を覆う第１カバー部８０と、第２ガラス端子部５０を覆う第２カバー部９０と、固定穴６１が形成された固定部６３と、が一体的に成形された構成を有している。
【００２１】
第１カバー部８０は、側面部８０ａと上面部８０ｂとを有している。第１カバー部８０内には、側面部８０ａによって周囲を囲まれた１つの部屋が形成されている。第１カバー部８０内の部屋の上部は上面部８０ｂによって閉塞されており、第１カバー部８０内の部屋の下部は開放されている。
【００２２】
第１カバー部８０は、第１ガラス端子部４０を保護する第１端子保護部８１と、第１ガラス端子部４０に接続された３本の第１電源線４３（図１１参照）を第１電源線引出し部８３に案内する第１電源線案内部８２と、を有している。第１端子保護部８１は、上面部８０ｂのうち第１ガラス端子部４０上に配置される円形状の部分と、その周囲を囲む半円筒状の側面部８０ａと、を有している。第１端子保護部８１の内部空間は、上記の部屋の一部を構成している。第１電源線案内部８２は、第１端子保護部８１と繋がっており、第１電源線引出し部８３に近づくほど幅が狭くなるように形成されている。第１電源線案内部８２の内部空間は、上記の部屋の他部を構成している。第１電源線案内部８２は、上面部８０ｂと垂直な方向に見た平面視において、第１ガラス端子部４０に接続された３本の第１電源線４３を、後述する第２端子保護部９１から離れる方向に案内するように構成されている。
【００２３】
第２カバー部９０は、側面部９０ａと、上面部８０ｂと同一平面上に形成された上面部９０ｂと、を有している。第２カバー部９０内には、第１カバー部８０内の部屋からは独立して、側面部９０ａによって周囲を囲まれた１つの部屋が形成されている。第２カバー部９０内の部屋の上部は上面部９０ｂによって閉塞されており、第２カバー部９０内の部屋の下部は開放されている。
【００２４】
第２カバー部９０は、第２ガラス端子部５０を保護する第２端子保護部９１と、第２ガラス端子部５０に接続された３本の第２電源線５３（図１１参照）を第２電源線引出し部９３に案内する第２電源線案内部９２と、を有している。第２端子保護部９１は、上面部９０ｂのうち第２ガラス端子部５０上に配置される円形状の部分と、その周囲を囲む半円筒状の側面部９０ａと、を有している。第２端子保護部９１の内部空間は、上記の部屋の一部を構成している。第２電源線案内部９２は、第２端子保護部９１と繋がっており、第２電源線引出し部９３に近づくほど幅が狭くなるように形成されている。第２電源線案内部９２の内部空間は、上記の部屋の他部を構成している。第２電源線案内部９２は、上面部９０ｂと垂直な方向に見た平面視において、第２ガラス端子部５０に接続された３本の第２電源線５３を以下のように案内する。すなわち、第２電源線案内部９２は、３本の第２電源線５３を、第１端子保護部８１を迂回しつつ第１端子保護部８１の外周に沿って、第１電源線案内部８２による第１電源線４３の案内方向と同方向に向かうように案内するように構成されている。
【００２５】
第２電源線案内部９２の一部は、第１端子保護部８１と隣接して配置されている。第２電源線案内部９２と第１端子保護部８１とが隣接している部分において、第２電源線案内部９２と第１端子保護部８１との間は、側面部９０ａ及び側面部８０ａを兼ねる円弧状の仕切壁６４によって仕切られている。
【００２６】
第１電源線引出し部８３は、側面部８０ａのうちの下部のみが開口された構成を有している（図９参照）。また、第１電源線引出し部８３は、下向きに形成されている。これにより、第１電源線引出し部８３から引き出された３本の第１電源線４３は、第１電源線引出し部８３で一旦下方に沈み込み、下方に凸となるように曲げられて上方のインバータ基板に向かって延伸する。したがって、機械室１５内で生じた結露水が第１電源線４３を伝って流れ落ちたとしても、その結露水が端子カバー６０内に進入することは防止される。
【００２７】
同様に、第２電源線引出し部９３は、側面部９０ａのうちの下部のみが開口された構成を有している。また、第２電源線引出し部９３は、下向きに形成されている。これにより、第２電源線引出し部９３から引き出された３本の第２電源線５３は、第２電源線引出し部９３で一旦下方に沈み込み、下方に凸となるように曲げられて上方のインバータ基板に向かって延伸する。したがって、機械室１５内で生じた結露水が第２電源線５３を伝って流れ落ちたとしても、その結露水が端子カバー６０内に進入することは防止される。
【００２８】
上面部８０ｂ及び上面部９０ｂと垂直な方向に見た平面視において、第１電源線引出し部８３及び第２電源線引出し部９３は、概ね同方向に開口され、かつ互いに段違いに形成されている。
【００２９】
図１０では、端子カバー６０が密閉容器３２の上面３２ａに取り付けられたときの第１ガラス端子部４０の輪郭及び第２ガラス端子部５０の輪郭を破線で示している。図１０に示すように、第１端子保護部８１における側面部８０ａは、第１ガラス端子部４０の第１台座４１の外周に沿った半円筒状の形状を有している。上面部８０ｂと垂直な方向に見た平面視において、第１端子保護部８１の中心をＣ１とし、中心Ｃ１から第１電源線引出し部８３に向かって延びる第１電源線案内部８２の中心線をＣＬ１とする。このとき、中心線ＣＬ１は、中心Ｃ１から第１電源線引出し部８３まで、第２端子保護部９１から離れる方向に直線状に延びている。第１電源線案内部８２による第１電源線４３の案内方向は、中心線ＣＬ１と平行になる。また、上面部８０ｂと垂直な方向に見た平面視において、第１電源線引出し部８３から第１電源線４３が引き出される方向は、中心線ＣＬ１と平行になる。
【００３０】
第２端子保護部９１における側面部９０ａは、第２ガラス端子部５０の第２台座５１の外周に沿った半円筒状の形状を有している。上面部９０ｂと垂直な方向に見た平面視において、第２端子保護部９１の中心をＣ２とし、中心Ｃ２から第２電源線引出し部９３に向かって延びる第２電源線案内部９２の中心線をＣＬ２とする。このとき、中心線ＣＬ２は、第１端子保護部８１を迂回し、かつ第２電源線引出し部９３側では中心線ＣＬ１と平行な方向に近づくように、途中で曲がっている。これにより、第２電源線案内部９２は、第１端子保護部８１を迂回して、第１電源線案内部８２による第１電源線４３の案内方向と同方向に向かうように、第２電源線５３を案内する構成を有する。
【００３１】
また、上面部８０ｂ及び上面部９０ｂと垂直な方向に見た平面視において、第２電源線引出し部９３の中心をＣ３とする。このとき、中心Ｃ１と中心Ｃ３との間の距離Ｌ１は、中心Ｃ１と中心Ｃ２との間の距離Ｌ２よりも短くなっている。
【００３２】
図１１は、本実施の形態に係る圧縮機３０が備える端子カバー６０の構成を示す下面図に対し、第１電源線案内部８２により案内される第１電源線４３と第２電源線案内部９２により案内される第２電源線５３とを追記した図である。第１ガラス端子部４０の３つの第１端子４２の向きがそれぞれ決まっていることから、３本の第１電源線４３は、図１１に示すように、第１端子保護部８１内では互いに広がる方向に延びている。第１電源線案内部８２は、３本の第１電源線４３を互いに収束させつつ、３本の第１電源線４３を所定の案内方向に案内する。第１電源線案内部８２により案内された３本の第１電源線４３は、第１電源線引出し部８３から引き出される。
【００３３】
同様に、第２ガラス端子部５０の３つの第２端子５２の向きがそれぞれ決まっていることから、３本の第２電源線５３は、第２端子保護部９１内では互いに広がる方向に延びている。第２電源線案内部９２は、３本の第２電源線５３を互いに収束させつつ、３本の第２電源線５３を第１電源線４３の案内方向と同方向に向かうように案内する。第２電源線案内部９２により案内された３本の第２電源線５３は、第２電源線引出し部９３から引き出される。これにより、第２電源線引出し部９３から第２電源線５３が引き出される方向を、第１電源線引出し部８３から第１電源線４３が引き出される方向と実質的に同方向にすることができる。
【００３４】
したがって、第１電源線引出し部８３から引き出されてインバータ基板に接続される第１電源線４３と、第２電源線引出し部９３から引き出されてインバータ基板に接続される第２電源線５３と、の配線取回し経路を同一にすることができる。よって、室外機１０の製造工程における圧縮機３０の配線作業の作業性を向上させることができる。
【００３５】
ここで、実質的に同方向という表現には、完全に同一の方向だけでなく、技術常識を考慮して同一の方向とみなすことができる範囲も含まれる。配線取回し経路を同一にできるように第１電源線４３及び第２電源線５３が概ね揃った方向に引き出されていれば、第１電源線４３が引き出される方向と第２電源線５３が引き出される方向とは同一の方向とみなすことができる。室外機１０の圧縮機３０に用いられるような電源線であれば、第１電源線４３が引き出される方向と第２電源線５３が引き出される方向とのなす角度が最大で３０°程度であれば、第１電源線４３及び第２電源線５３の配線取回し経路を同一にできる。
【００３６】
また、本実施の形態の端子カバー６０には、第１ガラス端子部４０に接続された第１電源線４３が引き出される第１電源線引出し部８３と、第２ガラス端子部５０に接続された第２電源線５３が引き出される第２電源線引出し部９３と、が独立して設けられている。このため、第１電源線４３と第２電源線５３とを容易に識別することができる。したがって、インバータ基板に対して第１電源線４３及び第２電源線５３を誤接続してしまうのを防止することができる。
【００３７】
ここで、本実施の形態に係る空気調和機の室外機１０の製造工程の一部として、圧縮機３０の取付け作業及び圧縮機３０の配線作業の手順について説明する。まず、端子カバー６０が取り付けられていない圧縮機３０を室外機１０の機械室１５に固定する。次に、第１ガラス端子部４０に３本の第１電源線４３を接続し、第２ガラス端子部５０に３本の第２電源線５３を接続する。次に、３本の第１電源線４３及び３本の第２電源線５３をそれぞれ第１電源線引出し部８３及び第２電源線引出し部９３から実質的に同方向に引き出しながら、端子カバー６０を密閉容器３２の上面３２ａに取り付ける。次に、インバータ基板を含む電気品２０を機械室１５の上部に取り付ける。次に、インバータ基板側の電源線として、３本の第１電源線と３本の第２電源線とをインバータ基板に接続する。次に、圧縮機３０側の３本の第１電源線４３とインバータ基板側の３本の第１電源線とを、第１電源線用の中継コネクタを介して接続する。また、圧縮機３０側の３本の第２電源線５３とインバータ基板側の３本の第２電源線とを、第２電源線用の中継コネクタを介して接続する。このとき、第１電源線４３と第２電源線５３とは、室外機１０内を同一の配線取回し経路で取り回される。以上の工程を経て、圧縮機３０の取付け作業及び圧縮機３０の配線作業が完了する。
【００３８】
図１２は、本実施の形態に係る圧縮機３０が備える端子カバー６０の構成の変形例を示す斜視図である。図１２に示す端子カバー６０では、図７〜図１０等に示した端子カバー６０と比較すると、第２電源線案内部９２の側面部９０ａと第１端子保護部８１の側面部８０ａとが互いに独立して設けられている。本変形例のような構成であっても、図７〜図１０等に示した構成と同様の効果が得られる。
【００３９】
以上説明したように、本実施の形態に係る圧縮機３０は、密閉容器３２と、密閉容器３２に収容された電動機３１と、密閉容器３２の上面３２ａに設けられ、電動機３１に電気的に接続された複数の第１端子４２を有する第１ガラス端子部４０と、第１ガラス端子部４０と並列して密閉容器３２の上面３２ａに設けられ、電動機３１に電気的に接続された複数の第２端子５２を有する第２ガラス端子部５０と、第１ガラス端子部４０及び第２ガラス端子部５０を覆うように密閉容器３２に取り付けられた端子カバー６０と、を備えている。端子カバー６０は、第１ガラス端子部４０を保護する第１端子保護部８１と、第１ガラス端子部４０の複数の第１端子４２にそれぞれ接続された複数の第１電源線４３を案内する第１電源線案内部８２と、第１電源線案内部８２に案内された複数の第１電源線４３が端子カバー６０の外部に引き出される第１電源線引出し部８３と、第２ガラス端子部５０を保護する第２端子保護部９１と、第２ガラス端子部５０の複数の第２端子５２にそれぞれ接続された複数の第２電源線５３を案内する第２電源線案内部９２と、第２電源線案内部９２に案内された複数の第２電源線５３が端子カバー６０の外部に引き出される第２電源線引出し部９３と、を有している。第１電源線案内部８２は、第２端子保護部９１から離れる案内方向（例えば、中心線ＣＬ１に沿う方向）に複数の第１電源線４３を案内するものである。第２電源線案内部９２は、第１端子保護部８１を迂回して上記案内方向と同方向に向かうように複数の第２電源線５３を案内するものである。ここで、上面３２ａは密閉容器３２の外面の一例である。
【００４０】
この構成によれば、端子カバー６０には、第１電源線４３が引き出される第１電源線引出し部８３と、第２電源線５３が引き出される第２電源線引出し部９３と、が設けられる。このため、第１ガラス端子部４０に接続された第１電源線４３と、第２ガラス端子部５０に接続された第２電源線５３と、を容易に識別することができる。したがって、電力の供給元に対して第１電源線４３及び第２電源線５３を誤接続してしまうのを防止することができる。また、この構成によれば、第１電源線４３は第１電源線引出し部８３から引き出され、第２電源線５３は第２電源線引出し部９３から引き出されているため、第１電源線４３と第２電源線５３とが引出し部で絡み合ってしまうのを防止することができる。
【００４１】
また、この構成によれば、第１電源線引出し部８３から第１電源線４３が引き出される方向と、第２電源線引出し部９３から第２電源線５３が引き出される方向と、を実質的に同方向にすることができる。このため、第１電源線４３及び第２電源線５３の配線取回し経路を同一にすることができる。したがって、圧縮機３０の配線作業の作業性を向上させることができる。
【００４２】
本実施の形態に係る圧縮機３０において、第２電源線案内部９２と第１端子保護部８１とは互いに隣接して配置されている。第２電源線案内部９２と第１端子保護部８１との間は、第２電源線案内部９２の側面部９０ａと第１端子保護部８１の側面部８０ａとを兼ねる仕切壁６４によって仕切られている。この構成によれば、端子カバー６０の形状を単純化することができる。
【００４３】
本実施の形態に係る圧縮機３０において、第１ガラス端子部４０は、密閉容器３２の上面３２ａに対して凸状に形成された第１台座４１を有している。第２ガラス端子部５０は、密閉容器３２の上面３２ａに対して凸状に形成された第２台座５１を有している。第１端子保護部８１の側面部８０ａは、第１台座４１の外周の一部に沿った形状を有している。第２端子保護部９１の側面部９０ａは、第２台座５１の外周の一部に沿った形状を有している。この構成によれば、第１端子保護部８１の側面部８０ａを第１台座４１の外周に接触させ、第２端子保護部９１の側面部９０ａを第２台座５１の外周に接触させることにより、密閉容器３２に対する端子カバー６０の位置決めを容易に行うことができる。また、端子カバー６０がボルト３３を基準として取り付けられる場合にも、ボルト３３を中心とした回転方向における端子カバー６０の位置決めを容易に行うことができる。したがって、圧縮機３０の組立作業の作業性を向上させることができる。
【００４４】
本実施の形態に係る圧縮機３０において、第１電源線引出し部８３及び第２電源線引出し部９３は、端子カバー６０の上面部８０ｂ、９０ｂと垂直な方向に見て、段違いに形成されている。この構成によれば、第１ガラス端子部４０に接続された第１電源線４３と、第２ガラス端子部５０に接続された第２電源線５３と、をさらに容易に識別することができる。
【００４５】
本実施の形態に係る圧縮機３０において、第１端子保護部８１の中心Ｃ１と第２電源線引出し部９３の中心Ｃ３との間の距離Ｌ１は、第１端子保護部８１の中心Ｃ１と第２端子保護部９１の中心Ｃ２との間の距離Ｌ２よりも短い。この構成によれば、第１ガラス端子部４０と第２ガラス端子部５０との距離が長い場合であっても、第１電源線４３及び第２電源線５３を互いに近接させて端子カバー６０から引き出すことができる。したがって、第１電源線４３及び第２電源線５３の配線作業の作業性をより向上させることができる。
【００４６】
本実施の形態に係る空気調和機の室外機１０は、上記圧縮機３０を備えるものである。この構成によれば、空気調和機の室外機１０において、上記と同様の効果を得ることができる。
【符号の説明】
【００４７】
１０  室外機、１１  前面パネル、１２  側面パネル、１３  天面パネル、１４  送風機室、１５  機械室、１６  仕切板、１７  熱交換器、１８  送風機、１９  冷媒配管、２０  電気品、３０  圧縮機、３１  電動機、３２  密閉容器、３２ａ  上面、３３  ボルト、３４  吐出管、４０  第１ガラス端子部、４１  第１台座、４２  第１端子、４３  第１電源線、５０  第２ガラス端子部、５１  第２台座、５２  第２端子、５３  第２電源線、６０  端子カバー、６１  固定穴、６２  ナット、６３  固定部、６４  仕切壁、７０  インバータ、７１  結線切替装置、８０  第１カバー部、８０ａ  側面部、８０ｂ  上面部、８１  第１端子保護部、８２  第１電源線案内部、８３  第１電源線引出し部、９０  第２カバー部、９０ａ  側面部、９０ｂ  上面部、９１  第２端子保護部、９２  第２電源線案内部、９３  第２電源線引出し部、Ｃ１、Ｃ２、Ｃ３  中心、ＣＬ１、ＣＬ２  中心線、Ｌ１、Ｌ２  距離。
【図１】
0006732133.tif 000002
【図２】
0006732133.tif 000003
【図３】
0006732133.tif 000004
【図４】
0006732133.tif 000005
【図５】
0006732133.tif 000006
【図６】
0006732133.tif 000007
【図７】
0006732133.tif 000008
【図８】
0006732133.tif 000009
【図９】
0006732133.tif 000010
【図１０】
0006732133.tif 000011
【図１１】
0006732133.tif 000012
【図１２】
0006732133.tif 000013